(57)【要約】【課題】１つのキャラクタの全体の表情を簡単な操作で変更可能なスタンプセットを提供すること。【解決手段】スタンプの台座と、１つのキャラクタの図柄を押印するための押印部と、この押印部をスタンプの台座に保持する保持手段とからなるスタンプセットであって、  押印部が、１つのキャラクタの図柄を３つ以上に分割した分割押印部分と、これらの分割押印部分の少なくとも１つの分割図柄に対応して分割図柄を変化させ、それによって１つのキャラクタの全体の表情を変更可能な１つ又はそれ以上の分割変化押印部分とからなり、保持手段が、スタンプの台座に取付けられたケースまたは枠体と、これらのケースまたは枠体に、分割押印部分および分割変化押印部分を、各分割押印部分とそれに対応する分割変化押印部分との内、所望の１つの分割押印部分または分割変化押印部を押印位置に移動可能に、保持する保持ローラとからなるスタンプセット。【選択図】図３
2006044164.tif 000002
【特許請求の範囲】
【請求項１】
スタンプの台座と、１つのキャラクタの図柄を押印するための押印部と、この押印部をスタンプの台座に保持する保持手段とからなるスタンプセットであって、
押印部が、１つのキャラクタの図柄を３つ以上に分割した分割押印部分と、これらの分割押印部分の少なくとも１つの分割図柄に対応して分割図柄を変化させ、それによって１つのキャラクタの全体の表情を変更可能な１つ又はそれ以上の分割変化押印部分とからなり、
保持手段が、スタンプの台座に取付けられたケースまたは枠体と、これらのケースまたは枠体に、分割押印部分および分割変化押印部分を、各分割押印部分とそれに対応する分割変化押印部分との内、所望の１つの分割押印部分または分割変化押印部を押印位置に移動可能に、保持する保持ローラとからなるスタンプセット。
【請求項２】
分割押印部および分割変化押印部が、各分割面または分割線を平行としてなる請求項1に記載のスタンプセット。
【請求項３】
分割押印部分が、１つのキャラクタの図柄を３つに分割した３分割押印部分からなり、
分割変化押印部分が、３分割押印部分に対応して各分割図柄をそれぞれ変化させた２×３つの分割変化押印部分からなる請求項１または２に記載のスタンプセット。
【請求項４】
分割押印部分が、１つのキャラクタの図柄を３つに分割した３分割押印部分からなり、
分割変化押印部分が、３分割押印部分のうち、両側の分割押印部分に対応して分割図柄をそれぞれ変化させた２×２つの分割変化押印部分からなる請求項１または２に記載のスタンプセット。
【請求項５】
分割押印部分が、１つのキャラクタの図柄を３つに分割した３分割押印部分からなり、
分割変化押印部分が、３分割押印部分のうち、中央の分割押印部分に対応して分割図柄を変化させた２つの分割変化押印部分からなる請求項１または２に記載のスタンプセット。
【請求項６】
分割押印部と分割変化押印部とが、各分割押印部分とその分割図柄に対応する分割変化押印部とを一連に並べた３つのエンドレスベルト状押印部からなり、
保持ローラが、各エンドレスベルト状押印部を移動可能に保持する２以上のローラと、各エンドレスベルト状押印部を移動させ、所望の分割押印部分または分割変化押印部を押印位置に配置させるエンドレスベルト状押印部移動用部材とからなる請求項３に記載のスタンプセット。
【請求項７】
分割押印部と分割変化押印部とが、分割押印部分とその分割図柄に対応する分割変化押印部とを一連に並べた２つのエンドレスベルト状押印部からなり、
保持ローラが、各エンドレスベルト状押印部を移動可能に保持する２以上のローラと、各エンドレスベルト状押印部を移動させ、所望の分割押印部分または分割変化押印部を押印位置に配置させるエンドレスベルト状押印部移動用部材とからなる請求項４に記載のスタンプセット。
【請求項８】
分割押印部と分割変化押印部とが、分割押印部分とその分割図柄に対応する分割変化押印部とを一連に並べた１つのエンドレスベルト状押印部からなり、
保持ローラが、エンドレスベルト状押印部を移動可能に保持する２以上のローラと、エンドレスベルト状押印部を移動させ、所望の分割押印部分または分割変化押印部を押印位置に配置させるエンドレスベルト状押印部移動用部材とからなる請求項５に記載のスタンプセット。
【請求項９】
エンドレスベルト状押印部移動用部材が、エンドレスベルト状押印部を移動可能に保持する移動ローラと、この移動ローラを回動させる移動ローラ回動操作用ダイアルとからなる請求項６〜８のいずれか一つに記載のスタンプセット。
【請求項１０】
分割押印部と分割変化押印部とが、各分割押印部分とその分割図柄に対応する分割変化押印部とを一連に並べた３つのエンドレスベルト状押印部からなり、
保持ローラが、各エンドレスベルト状押印部を押印位置に移動可能に保持する２つのローラと、各エンドレスベルト状押印部を外側から２つの指で押圧して移動させ、所望の分割押印部分または分割変化押印部を押印位置に配置させる１つのエンドレスベルト状押印部移動操作用ローラとからなる請求項３に記載のスタンプセット。
【請求項１１】
一つのキャラクタの図柄が、人顔または顔文字を対象とする請求項１〜１０のいずれか一つに記載のスタンプセット。
【請求項１２】
一つのキャラクタの図柄が、想像上の、現存する、または生存した生物像を対象とする請求項１〜１０のいずれか一つに記載のスタンプセット。
【発明の詳細な説明】
【技術分野】
【０００１】
本発明は、スタンプセットに関し、さらに詳しくは、一つのキャラクタ、例えば人顔、動物の全体像、顔文字などの図柄を押印するためのスタンプセットに関する。
【背景技術】
【０００２】
この種のスタンプセットとしては、スタンプの台座と、星座の図柄を押印するための押印部と、この押印部をスタンプの台座に保持する保持手段とからなる星座ゲームセットが知られている（特許文献１参照）。
【０００３】
さらに、各個人が所望する顔形とそれに似合った顔形との組み合わせを選択できる似顔スタンプセットが知られている（特許文献２参照）。
この似顔スタンプセットは、具体的には、透明な薄板に異種の髪形を表示した髪形選定プレートと、各髪形と似合う異種の顔形を表示した似顔選定シートと、これらのシートで選択した所望の髪形と顔形に対応して制作した刻印髪形および刻印顔形をそれぞれ貼り付けた髪形押印外枠および似顔押印柱体とからなり、髪形押印外枠内に似顔押印柱体を挿嵌できるように構成されている。
【０００４】
【特許文献１】実開平４−７８７８号公報
【特許文献２】実開平７−３５０４７号公報
【発明の開示】
【発明が解決しようとする課題】
【０００５】
上記星座ゲームセットは、星座全体またはその一部を簡単な操作で変更することはできない。
上記似顔スタンプセットは、多くの髪形と顔形の中から所望の１つの組み合わせを選択できるが、その組み合わせを簡単な操作で変更したり、表情を変えたりすることはできない。
【０００６】
そこで、本発明の主要な目的の一つは、１つのキャラクタの全体の表情を簡単な操作で変更可能なスタンプセットを提供することである。
【課題を解決するための手段】
【０００７】
本発明は、スタンプの台座と、１つのキャラクタの図柄を押印するための押印部と、この押印部をスタンプの台座に保持する保持手段とからなるスタンプセットであって、
押印部が、１つのキャラクタの図柄を３つ以上に分割した分割押印部分と、これらの分割押印部分の少なくとも１つの分割図柄に対応して分割図柄を変化させ、それによって１つのキャラクタの全体の表情を変更可能な１つ又はそれ以上の分割変化押印部分とからなり、
保持手段が、スタンプの台座に取付けられたケースまたは枠体と、これらのケースまたは枠体に、分割押印部分および分割変化押印部分を、各分割押印部分とそれに対応する分割変化押印部分との内、所望の１つの分割押印部分または分割変化押印部を押印位置に移動可能に、保持する保持ローラとからなるスタンプセットを提供する。
【発明の効果】
【０００８】
本発明に係るスタンプセットによれば、押印部を、１つのキャラクタの図柄を３つ以上に分割した分割押印部分と、これらの分割押印部分の分割図柄を変化させた分割変化押印部分とで構成し、かつケースまたは枠体に、所望の１つの分割押印部分または分割変化押印部を押印位置に移動可能に保持ローラで保持することによって、図柄の一部を変化させることを可能とし、それによって、１つのキャラクタの全体の表情を変えて押印可能とし、新しいコミュニケーションとして利用可能にする。具体的には、手紙、連絡票、メモなどに押印することで、情報伝達を、バリエーション豊かなものにすると共に、より正確に、より楽しくする。
【発明を実施するための最良の形態】
【０００９】
本発明に係るスタンプセットは、押印部が、１つのキャラクタの図柄を３つ以上に分割した分割押印部分と、これらの分割押印部分の少なくとも１つの分割図柄に対応して分割図柄を変化させ、それによって１つのキャラクタの全体の表情を変更可能な１つ又はそれ以上の分割変化押印部分とからなり、保持手段が、スタンプの台座に取付けられたケースまたは枠体と、これらのケースまたは枠体に、分割押印部分および分割変化押印部分を、各分割押印部分とそれに対応する分割変化押印部分との内、所望の１つの分割押印部分または分割変化押印部を押印位置に移動可能に、保持する保持ローラとからなることを特徴とする。
【００１０】
ここで、分割押印部は、押印部の１つのキャラクタの図柄を３つ以上に分割したもので、スタンプセットとしては、通常、３つ、４つ、せいぜい５つに分割される。そして、これらの分割押印部は、１つのキャラクタの図柄を構成するために、できるだけ隙間が小さくなるように分割されるのが好ましい。
【００１１】
本発明においては、分割押印部のほかに、分割押印部の少なくとも１つの分割図柄に対応して分割図柄を変化させ、それによって１つのキャラクタの全体の表情を変更可能な１つ又はそれ以上の分割変化押印部が設けられる。分割図柄の変化の数は、特に限定されないが、スタンプセットとしては、通常、１つ、２つ、せいぜい３つの変化が好ましい。また、これらの分割変化押印部および分割押印部は、容易に押印位置に移動できるように、各分割線または分割面を平行とするのが好ましい。
【００１２】
ここで、分割押印部と分割変化押印部の具体例を挙げる。
（１）分割押印部分が、１つのキャラクタの図柄を３つに分割した３分割押印部分からなり、分割変化押印部分が、３分割押印部分に対応して各分割図柄をそれぞれ変化させた２×３つの分割変化押印部分からなるもの。
（２）分割押印部分が、１つのキャラクタの図柄を３つに分割した３分割押印部分からなり、分割変化押印部分が、３分割押印部分のうち、両側の分割押印部分に対応して分割図柄をそれぞれ変化させた２×２つの分割変化押印部分からなるもの。
（３）分割押印部分が、１つのキャラクタの図柄を３つに分割した３分割押印部分からなり、分割変化押印部分が、３分割押印部分のうち、中央の分割押印部分に対応して分割図柄を変化させた２つの分割変化押印部分からなるもの。
【００１３】
本発明において、分割押印部と分割変化押印部とは、容易に押印位置に移動できるようにスタンプの台座に保持される。ここで、保持部の具体例を挙げる。
（１）分割押印部と分割変化押印部とを、各分割押印部分とその分割図柄に対応する分割変化押印部とを一連に並べた３つのエンドレスベルト状押印部として構成し、保持ローラを、各エンドレスベルト状押印部を移動可能に保持する２以上のローラと、各エンドレスベルト状押印部を移動させ、所望の分割押印部分または分割変化押印部を押印位置に配置させるエンドレスベルト状押印部移動用部材とで構成する。
（２）分割押印部と分割変化押印部とを、分割押印部分とその分割図柄に対応する分割変化押印部とを一連に並べた２つのエンドレスベルト状押印部として構成し、保持ローラを、各エンドレスベルト状押印部を移動可能に保持する２以上のローラと、各エンドレスベルト状押印部を移動させ、所望の分割押印部分または分割変化押印部を押印位置に配置させるエンドレスベルト状押印部移動用部材とで構成する。
（３）分割押印部と分割変化押印部とを、分割押印部分とその分割図柄に対応する分割変化押印部とを一連に並べた１つのエンドレスベルト状押印部として構成し、保持ローラを、エンドレスベルト状押印部を移動可能に保持する２以上のローラと、エンドレスベルト状押印部を移動させ、所望の分割押印部分または分割変化押印部を押印位置に配置させるエンドレスベルト状押印部移動用部材とで構成する。
ここで、エンドレスベルト状押印部移動用部材を、エンドレスベルト状押印部を移動可能に保持する移動ローラと、この移動ローラを回動させる移動ローラ回動操作用ダイアルとで構成するのが好ましい。
【００１４】
さらに、分割押印部と分割変化押印部とを、各分割押印部分とその分割図柄に対応する分割変化押印部とを一連に並べた３つのエンドレスベルト状押印部として構成し、保持ローラを、各エンドレスベルト状押印部を押印位置に移動可能に保持する２つの移動ローラと、各エンドレスベルト状押印部を外側から２つの指で押圧して移動させ、所望の分割押印部分または分割変化押印部を押印位置に配置させる１つのエンドレスベルト状押印部移動操作用ローラとで構成してもよい。
【００１５】
本発明において、１つのキャラクタとは、人顔や、想像上の、擬人化した、現存する、または生存した動物像、植物像など（生物像）や、アニメの主人公、顔文字など、全体的に１つの表情やイメージを人に与えることができる、平面的な図柄を意味し、特にその部分的な変化によって、その表情やイメージを変更可能な図柄が好ましい対象となる。
【００１６】
［実施の形態１］
図１は本発明に係るスタンプセットの実施の形態１を示す斜視図、図２は図１の縦断面図、図３は図２のA-A断面図、図４は実施の態様１の押印部の展開図である。
図１〜４において、スタンプセット１は、スタンプの台座（または取っ手）２と、１つのキャラクタの図柄を押印するための押印部３と、この押印部をスタンプの台座２に保持する保持手段とからなる。
【００１７】
押印部３は、１つのキャラクタの図柄を３つに分割した分割押印部分５、６，７と、これらの分割押印部分の各分割図柄に対応して分割図柄をそれぞれ変化させ、それによって１つのキャラクタの全体の表情を変更可能な２つの分割変化押印部分８・９、１０・１１、１２・１３とからなり、各分割押印部分とそれに対応する２つの分割変化押印部分を１組として３組のエンドレス押印ベルト１４・１５・１６に構成される。
【００１８】
保持手段は、特に図３において、スタンプの台座２に取り付けられたスタンプのケース（外箱）１７と、このケースにエンドレス押印ベルト１４をまとめて保持する２つの案内ローラ１８・１９と、１つの移動ローラ２０と、この移動ローラに回転力を付与するための移動ローラ回動操作用ダイアル２１とからなる。
【００１９】
なお、エンドレス押印ベルト１５・１６の保持手段は、エンドレス押印ベルト１４の場合と同様の構成であり、ここでは説明を省略する。そして、２２は移動ローラ２０の中心軸、２３、２３ａはエンドレス押印ベルト１４，１５、１６がそれぞれ独立して移動できるように各ベルト間および各ベルトとケース１７との間にそれぞれ介挿されたナイロン樹脂製カラー、２４は移動ローラ回動操作用ダイアル２１を一部突出させるスリット、２５は分割押印部分または分割変化押印部分の押印面を保持する保持板である。
【００２０】
次に、以上の構成を備えたスタンプセット１の動作を簡単に説明する。
まず、図１〜３において、分割押印部分５，６，７の押印面にインキを適宜付け、スタンプの台座（取っ手）２を手で持って紙（図示省略）の上に分割押印部分５，６、７に対応する人顔を押印する。
【００２１】
次いで、人顔を分割押印部分５，６，７の内、分割押印部分６を分割変化押印部分１１に変更したい場合には、移動ローラ回動操作用ダイアル２１を操作して移動ローラ２０を移動（回動）させ、押印位置に分割変化押印部分１１を移動させる。そして、分割押印部分５，７および分割変化押印部分１１の押印面にインキを適宜付け、スタンプの台座（取っ手）２を手で持って紙（図示省略）の上に分割押印部分５，７および分割変化押印部分１１を押印すると、紙面上にこの前とは表情を異にする人顔が得られる。
【００２２】
［実施の形態２］
図５は本発明に係るスタンプセットの実施の形態２を示す斜視図、図６は異なる方向からの斜視図、図７は図５の縦断面図、図８は図７のB-B断面図、図９は実施の態様２の押印部の展開図である。
図５〜９において、スタンプセット３１は、スタンプの台座（または取っ手）３２と、１つのキャラクタの図柄を押印するための押印部３３と、この押印部をスタンプの台座３２に保持する保持手段とからなる。
【００２３】
押印部３３は、１つのキャラクタの図柄を３つに分割した分割押印部分３５、３６，３７と、これらの分割押印部分の各分割図柄に対応して分割図柄をそれぞれ変化させ、それによって１つのキャラクタの全体の表情を変更可能な２つの分割変化押印部分３８・３９、４０・４１、４２・４３とからなり、各分割押印部分とそれに対応する２つの分割変化押印部分を１組として３組のエンドレス押印ベルト４４・４５・４６に構成される。
【００２４】
保持手段は、特に図７および８において、スタンプの台座３２に取り付けられたスタンプの枠体１７と、この枠体にエンドレス押印ベルト１４をまとめて保持する２つの案内ローラ４８・４９と、１つの移動ローラ５０とからなる。
なお、エンドレス押印ベルト４５・４６の保持手段は、エンドレス押印ベルト４４の場合と同様の構成であり、ここでは説明を省略する。そして、５５は分割押印部分または分割変化押印部分の押印面を保持する保持板である。
【００２５】
次に、以上の構成を備えたスタンプセット３１の動作を簡単に説明する。
まず、図５〜８において、分割押印部分３５，３６，３７の押印面にインキを適宜付け、スタンプの台座（取っ手）３２を手で持って紙（図示省略）の上に分割押印部分３５，３６、３７に対応する人顔を押印する。
【００２６】
次いで、人顔を分割押印部分３５，３６，３７の内、分割押印部分３６を分割変化押印部分４０に変更したい場合には、エンドレス押印ベルト４５を、移動ローラ５０に向かって外側から２つの指で押圧しながら捻って移動させる。そして、分割押印部分３５、３７および分割変化押印部分４０の押印面にインキを適宜付け、スタンプの台座（取っ手）２を手で持って紙（図示省略）の上に分割押印部分３５，３７および分割変化押印部分４０を押印すると、紙面上にこの前とは表情を異にする人顔が得られる。
【００２７】
以上のごとく、本発明に係るスタンプセットの実施の形態１および２によれば、押印部を、１つのキャラクタの図柄を３つ以上に分割した分割押印部分と、これらの分割押印部分の分割図柄を変化させた分割変化押印部分とで構成し、かつケースまたは枠体に、所望の１つの分割押印部分または分割変化押印部を押印位置に移動可能に保持ローラで保持することによって、図柄の一部を変化させることを可能とし、それによって、１つのキャラクタの全体の表情を変えて押印可能とし、情報伝達を、バリエーション豊かなものにすると共に、より正確に、より楽しくする。
【図面の簡単な説明】
【００２８】
【図１】本発明に係るスタンプセットの実施の形態１を示す斜視図である。
【図２】図１の縦断面図である。
【図３】図２のA-A断面図である。
【図４】実施の態様１の押印部の展開図である。
【図５】本発明に係るスタンプセットの実施の形態２を示す斜視図である。
【図６】図５とは異なる方向からの斜視図である。
【図７】図５の縦断面図である。
【図８】図７のB-B断面図である。
【図９】実施の態様２の押印部の展開図である。
【符号の説明】
【００２９】
１          スタンプセット
２          スタンプの台座
３          押印部
５          分割押印部分
６          分割押印部分
７          分割押印部分
８，９      分割変化押印部分
１０、１１  分割変化押印部分
１２，１３  分割変化押印部分
１４〜１６  エンドレスベルト状
１７        ケース
１８        案内ローラ
１９        案内ローラ
２０        移動ローラ
２１        移動ローラ回動操作ダイアル
【図１】
2006044164.tif 000003
【図２】
2006044164.tif 000004
【図３】
2006044164.tif 000005
【図４】
2006044164.tif 000006
【図５】
2006044164.tif 000007
【図６】
2006044164.tif 000008
【図７】
2006044164.tif 000009
【図８】
2006044164.tif 000010
【図９】
2006044164.tif 000011